(57)【要約】  【課題】  遊技球を好適に案内することができ、パチンコゲームを展開する上で重要な入賞口周りに設置することによって、パチンコゲームにおける興趣を増すようにした遊技球変換装置を提供すること。  【解決手段】  遊技盤に取付けられるベース部材１９と、ベース部材の前面に取付けられる球案内部材２４とからなり、球案内部材は、遊技球Ｐが通過する球通過口３０を有し、ベース部材１９の回転軸を中心に揺動自在に設けられ前記回転軸を中心に上部より下部側を重くして球通過口３０が自立するようになった遊技球変換装置である。  【選択図】    図３
2006102078.tif 000002
【特許請求の範囲】
【請求項１】
遊技盤に取付けられるベース部材と、該ベース部材の前面に取付けられる球案内部材とからなり、該球案内部材は、遊技球が通過する球通過口を有し前記ベース部材の回転軸を中心に揺動自在に設けられ、前記回転軸を中心に上部より下部側を重くして前記球通過口が自立するように設けたことを特徴とする遊技球変換装置。
【請求項２】
前記球案内部材は、前記球通過口の外側部に遊技球が当接する遊技球当接部を設けたことを特徴とする請求項１記載の遊技球変換装置。
【請求項３】
前記球案内部材の遊技球当接部は、裾広がりのスカート状に設けたことを特徴とする請求項１乃至２記載の遊技球変換装置。
【請求項４】
前記球案内部材は、前記ベース部材との間で揺動範囲を規制する揺動範囲規制装置を設けたことを特徴とする請求項１乃至３記載の遊技球変換装置。
【請求項５】
前記遊技球変換装置の下部に入賞口を設けたことを特徴とするパチンコ遊技機。
【発明の詳細な説明】
【技術分野】
【０００１】
本発明は、パチンコ遊技機の遊技盤上に取付けて、遊技盤上を遊技球が流下する流下方向に変化を与えるための遊技球変換装置及びそれを用いたパチンコ遊技機に関するものである。
【背景技術】
【０００２】
従来遊技盤面上には、大入賞口、図柄表示装置、図柄始動用入賞口、風車等を配設し、遊技球が図柄始動用入賞口に入賞すると図柄表示装置の図柄が変動を開始し、図柄変動停止時の表示が特定図柄に揃ったときに特別遊技状態（大当り）が発生して、大入賞口の開閉部材が所定時間又は所定個数（例えば１０個）の遊技球が入賞するまで開成され、更にこの大入賞口の開閉部材が開いている間に大入賞口内の継続入賞口に入賞すると、更に所定回数（例えば１６ラウンド）の特別遊技状態が継続するパチンコ遊技機が一般に知られている。
【０００３】
ところで上記パチンコ機には、上記風車と呼ばれる遊技球の流れを変換する装置がある。このものは遊技盤面に固定した釘などを軸として周りに羽根を付けた回転体を回転自在に設けたもので、遊技球が回転体へ接触する状態に応じて羽根付回転体が回転し、遊技球が適宜の方向へ飛ばされるもので、遊技盤を流下する遊技球の流下方向に変化を与えるものであった。
【０００４】
また上記風車等の遊技球流下方向変換装置は、概して前記遊技盤面の図柄始動用入賞口から遠く離れた位置に配置されており、図柄始動用入賞口から遠く離れた位置に流下した遊技球をもこの風車に当接させることで、僅かな確率、期待値でもって、抽選が行われる始動用入賞口の方向へ向けて流下させるように設けられていた。
【０００５】
本願の先行技術文献として次のものがある。
【特許文献１】特開平１１−３１３９１９号
【特許文献２】特開平０８−２２９２００号
【発明の開示】
【発明が解決しようとする課題】
【０００６】
上記のように風車等の遊技球流下方向変換装置は、遊技球が風車に接触する状態に応じて羽根付回転体の回転方向が左右に回転され、遊技球が回転体の回転方向等により不規則な方向へ飛ばされて、遊技球の流下方向に変化が与えられるものである。
このため遊技球が風車に当接して飛ばされる方向が全く不規則な方向に飛ばされて一定せず、このため遊技上の重要な大当り抽選等が行なわれる図柄始動用入賞口周りに設けても、図柄始動用入賞口への入賞が遮られることになり、このため入賞口近辺には従来の遊技球流下方向変換装置を設けることができなかった。
【０００７】
本発明は上記課題を解決すべく発明された新規な提案であって、遊技球を好適に案内することができるもので、パチンコゲームを展開する上で重要な大当り抽選等が行なわれる始動用入賞口等の入賞口近辺に設置することによって、パチンコゲームにおける興趣を増すようにした遊技球の流れを変換する遊技球変換装置及びパチンコ遊技機である。
【課題を解決するための手段】
【０００８】
本発明は上記の目的を達成するためになされたものであって、即ち本発明の請求項１の発明は、遊技盤に取付けられるベース部材と、該ベース部材の前面に取付けられる球案内部材とからなり、該球案内部材は、遊技球が通過する球通過口を有し前記ベース部材の回転軸を中心に揺動自在に設けられ前記回転軸を中心に上部より下部側を重くして前記球通過口が自立するように設けたことを特徴とする遊技球変換装置である。
【０００９】
本発明の請求項２の発明は、前記球案内部材は、前記球通過口の外側部に遊技球が当接する遊技球当接部を設けたことを特徴とする遊技球変換装置である。
【００１０】
また本発明の請求項３の発明は、前記球案内部材の遊技球当接部は、裾広がりのスカート状に設けたことを特徴とする遊技球変換装置である。
【００１１】
また本発明の請求項４の発明は、前記球案内部材は、前記ベース部材との間で揺動範囲を規制する揺動範囲規制装置を設けたことを特徴とする遊技球変換装置である。
【００１２】
また本発明の請求項５の発明は、前記遊技球変換装置の下部に入賞口を設けたことを特徴とするパチンコ遊技機である。
【発明の効果】
【００１３】
本発明の請求項１の発明によれば、遊技盤に取付けたベース部材に対して球案内部材が揺動自在に設けられ、球案内部材の球通過口に遊技球が入球すると、球案内部材が揺動して球通過口も揺動し、遊技球が所定の位置に落下しない。
例えば球通過口の下部に始動口等のゲーム上重要な入賞口を配置した場合では、この入賞口に入賞したり入賞できなかったりして大きな興趣が得られる。球案内部材は回転軸に対して下部側が重いので、ぐるぐる回転されることがなく、遊技盤上の流下球を受入やすい状態に球通過口が自立する。しかも通過口を通って案内される遊技球の案内位置は従来の風車のごとく八方に放散されるのではなく、ある程度限定された位置に遊技球を案内するので、入賞口用の遊技球変換装置として好適なものである。
【００１４】
本発明の請求項２の発明によれば、球案内部材の球通過口の外側部に遊技球の当接部を設けたので、球通過口周りを流れる遊技球が球当接部に当接してその慣性力で球案内部材が揺動するとともに当接した遊技球は予期しない方向に移動される。このため遊技球が通過口に入りかけても入らなかったり、通過口に入りそうになくても入ったりして、通過口を通る遊技球の案内が行なわれ、通過口内を通過後に入賞するか否かが変化し、興趣あるパチンコゲームが行われる。
【００１５】
本発明の請求項３の発明によれば、前記球案内部材の遊技球当接部は裾広がりのスカート状に設けられているので、流下する遊技球が裾広がりのスカート部に当接し易く、このため球案内部材は揺動し易くなり、遊技球が通過口に入っても思わぬ方向に案内したり、またスカート部に当接した遊技球は球案内部材の外周に飛ばされるて思わぬ方向に飛ばされ、興趣のあるゲームが行なわれる。
【００１６】
本発明の請求項４の発明によれば、球案内部材の揺動範囲が規制されるので、遊技球の案内方向が限定され、下部に設置した入賞口との関連性が得られやすくなる。また遊技球が球案内部材の通過口に入りやすくなり、案内しやすくなる。
【００１７】
本発明の請求項５の発明によれば、特にゲーム上重要な入賞口がこの球変換装置の下部に配置されているので、この入賞口に入賞したり入賞できなかったりして大きな興趣が得られる。しかも変換装置の通過口を通って案内される遊技球の変換は、従来の風車のごとく八方に放散されるものでなく、ある程度範囲が限定された位置に変換されるので、入賞口に入りそうで入らなかったり、また反対に入りそうでなかったのが入ったりさせることが可能となり、興趣が増すパチンコ遊技機が得られる。
【発明を実施するための最良の形態】
【００１８】
以下本発明の実施例について、図面を参照して説明する。
図１乃至図５は本発明の遊技球変換装置の一実施例を示し、本実施例の遊技球変換装置は、概略パチンコ機遊技盤１０の表面に取付けられるベース部材１９とベース部材１９に回転自在に取付けられる遊技球案内部材２４とからなり、パチンコ機遊技盤１０に貫通孔１１を設け、この貫通孔１１を中心にして球案内部材２４が回転揺動するように設けられている。
【００１９】
通常パチンコ機の遊技盤１０には各種の入賞口が設けられているが、大当り抽選が行なわれる等重要な始動入賞口の近辺上部位置に、本実施例の遊技球変換装置が設けられる。具体的にはこの遊技球変換装置を設ける位置に貫通孔１１を設け、この貫通孔１１に、ベース部材１９の裏面から張出すベアリングハウジング２２を装着し、ベース部材１９左右の取付け孔２０にビスを用いて遊技盤１０に固定される。
【００２０】
図２、図３に示すようにベース部材１９の裏面から貫通孔１１内へ突き出すベアリングハウジング２２が設けられ、このベアリングハウジング２２内にボールベアリング２３が装着され、このベアリング２３の内輪に遊技球案内部材２４の中心軸３２が嵌合装着される。このようにして全体、遊技盤１０に固定したベース部材１９に球案内部材２４が回転自在に装着された状態になっている。
【００２１】
球案内部材２４には、遊技球Ｐが上部から下部へ通過する通過口３０を有し、遊技球Ｐは通過口の上部入口から入球して下部出口へ排出される。球通過口３０の外側はスカート状に裾広がり形状になった遊技球Ｐの当接部３１を形成している。図２のごとくこの球当接部３１に遊技球Ｐが当接すると球案内部材２４は遊技球Ｐの慣性力で例えば図６のように傾き、球通過口３０の向きが変化して球通過口の入口、出口の向きが変化する。
【００２２】
図１から図３に示すように、球通過口３０が垂直の状態で、球案内部材２４が揺動していない状態では、遊技球Ｐが上部から下部へ真直ぐに抜けるが、図４から図６のように球案内部材２４が揺動している状態では、球通過口３０の入口及び出口の向きが斜め方向に傾くので、遊技球Ｐの入口、出口の方向が異なり、真上から入らずに斜め方向から入球し、また斜め方向に排出される等、思いがけない方向に遊技球を案内する。
【００２３】
図１、図２で示すように、球案内部材２４は、回転中心軸３２を中心にして、球通過口３０の上部より下部が長くなるように設けられており、従って下部の方が重くなるように設けられている。また球案内部材２４の下部側に重錘３８を設けて下部側を重くし、球案内部材２４が揺動を繰り返した後、上下に貫通する通過口３０が揺動後自立するように設けてある。
【００２４】
球案内部材２４の揺動範囲（首振り角度）を規制する装置は、ベース部材１９にベアリングハウジング２２と同心の円弧状溝を設け、この円弧状溝に球案内部材２４の裏面から円弧状溝内に挿入する規制ピンを設けて、円弧状溝内に規制ピンが挿入した状態で組み付け、球案内部材２４の揺動範囲の規制装置としている。その他に球通過口３０の側部に回転範囲を規制する回転規制ピンをベース部材に立設して、球案内部材の揺動範囲規制装置としても良い。
【００２５】
尚上記実施例において、ベース部材１９を用いずに、遊技盤１０に直接ベアリングハウジング２２を嵌め合せて遊技盤１０に球案内部材２４を装着し、回転揺動が行なわれるようにすることも可能である。
また図２から図４に示す３５はＬＥＤ基板で、球通過口３０の裏面でベアリングハウジング２２に係止した取付け具３４を介して取付けてある。例えば通過口３０を遊技球が通過した際にＬＥＤ基板３５のＬＥＤ３６が発光する。
【００２６】
図７は本発明の別の実施例を示す遊技球変換装置で、前記実施例のボールベアリングに代えて樹脂製の軸受けスリーブ５２，５３を用いた。
この実施例では、ベース部材５０の中心部に軸受け筒部５１を設け、軸受け筒部５１内の前後に軸受けスリーブ５２、５３を装着し、このスリーブ５２、５３を軸受けとして内面に球案内部材５４の中心軸５５を嵌合し、回転中心軸５５の端部に止め輪５６を装着して、ベース部材の軸受け筒部５１と球案内部材の中心軸５５を抜け止めしている。このようにしてベース部材５０に球案内部材５４を回転自在に装着した。
またベース部材５０には、軸受け筒部５１の外側に遊技盤１０の貫通孔１１に挿入する基板係止用筒部５７を設けてあり、これに取付け具３４を係止してＬＥＤ基板３５を取付けている。
【産業上の利用可能性】
【００２７】
特にパチンコ機遊技盤上に流下する遊技球の流れを変換するのに好適なもので、また遊技盤上の入賞口の上部にこの遊技球変換装置を設けることによって、大きな興趣のパチンコ遊技機が得られる。
【図面の簡単な説明】
【００２８】
【図１】本発明の一実施例の遊技球変換装置を示す正面図である。
【図２】図１の縦断面図である。
【図３】図１の斜視図である。
【図４】図１の遊技球案内部材２４が傾いた状態を示す斜視図である。
【図５】図１の遊技球案内部材２４が傾いた状態を示す正面図である。
【図６】図５と反対側に傾いた状態を示す正面図である。
【図７】本発明の別の実施例を示す遊技球変換装置の縦断面図である。
【符号の説明】
【００２９】
１０  遊技盤
１１  遊技盤の貫通孔
１９、５０  ベース部材
２０  取付け孔
２２  ベアリングハウジング
２３  ベアリング
２４、５４  球案内部材
３０  球通過口
３１  遊技球当接部
３２、５５  中心軸
３４  取付け具
３５  ＬＥＤ基板
３６  ＬＥＤ
５１  軸受け筒部
５２、５３  スリーブ
５６  止め輪
５７  基板係止用筒部
Ｐ  遊技球
【図１】
2006102078.tif 000003
【図２】
2006102078.tif 000004
【図３】
2006102078.tif 000005
【図４】
2006102078.tif 000006
【図５】
2006102078.tif 000007
【図６】
2006102078.tif 000008
【図７】
2006102078.tif 000009